(57)【要約】【課題】飲料容器における開閉栓装置を提供する。【解決手段】操作ボタン(11)とロータリ部材(13)の間に制御スプリング(12)を介装し、該制御スプリング(12)の圧縮を介して操作ボタン(11)の押下げによりロータリ部材(13)を下動させるように構成し、回動可能位置(P3)に下動したロータリ部材のフィン(28)と操作ボタンの歯(30)の相互により構成した第１回動カム手段(32)によりロータリ部材を回動し、フィンが案内筒のガイド手段(21a)に臨ませられたとき、操作ボタンの押下げ力を解除すると、操作ボタンが制御スプリングで押上げられ、前記フィン(28)と歯(30)を相互に離反させ、これによりロータリ部材(13)の回動自在な状態を確保し、フィン(28)をガイド手段に沿って係止手段(21b)まで好適に移動させ、弁体を開弁状態として係止する。【選択図】図３
2018039524.tif 000002
【特許請求の範囲】
【請求項１】
着脱自在な下側ユニットと上側ユニットの相互間に注液路を備え、
前記下側ユニット(1)は、復帰スプリング(6)を介して上向きの閉弁方向に付勢された状態で前記注液路を閉鎖する弁体(7)を設け、前記上側ユニット(2)は、前記弁体を開弁方向に押下げることにより前記注液路を開放する弁駆動機構(8)を内装して成る開閉栓装置において、
前記弁駆動機構は、固定された案内筒(9)と、前記案内筒に対して回動不能な状態で下降位置(QL)と上昇位置(QU)の間の規制された範囲で上下動自在に内嵌された環状体(10)と、前記環状体に回動不能な状態で内嵌された操作ボタン(11)と、前記操作ボタンの下側に配置されると共に下動されたとき前記弁体を開弁するロータリ部材(13)を備え、
前記ロータリ部材(13)は、前記操作ボタンの押下げにより、基準位置(P1)から開弁位置(P2)を経て回動可能位置(P3)まで下動し、回動可能位置で所定角度回動されるように該ロータリ部材のフィン(28)と操作ボタンの歯(30)の相互に第１回動カム手段(32)を構成し、
前記案内筒(9)は、前記回動可能位置で回動されたロータリ部材が弁体の復帰スプリングにより上動するとき、フィンを更に該回動方向に向けて上向き傾斜方向に移動させるガイド手段(21a)と、該移動によりロータリ部材が前記開弁位置まで上動した位置で前記フィンを上動不能に係止する係止手段(21b)を備え、
前記環状体(10)は、前記回動可能位置で回動されたロータリ部材のフィンを下方から当接させる被動片(24)を備え、前記フィンがガイド手段に沿って係止手段まで移動することにより、該フィンにより前記上昇位置まで押上げられるように構成されており、
前記操作ボタンとロータリ部材の間に介装された制御スプリング(12)を設けており、該制御スプリングの圧縮を介して操作ボタンの押下げによりロータリ部材を下動させるように構成すると共に、前記回動可能位置(P3)で回動させられたロータリ部材のフィン(28)が前記ガイド手段(21a)に臨ませられた状態で、操作ボタンの押下げ力を解除したとき、該操作ボタン(11)を制御スプリング(12)により押上げることにより第１回動カム手段(32)のフィン(28)と歯(30)を相互に離反させるように構成して成ることを特徴とする飲料容器における開閉栓装置。
【請求項２】
前記案内筒(9)は、筒本体(15)の上部の内側筒壁(15a)の外周側に環状空間を形成するフランジ(16)を介して外側筒壁(17)を備え、前記フランジの周方向に間隔をあけて通孔(18)を形成しており、
前記環状体(10)は、前記環状空間を被うリング部(22)を備え、該リング部の外周部位に摺動片(23)を垂設すると共に、内周部位に前記被動片(24)を垂設し、該被動片を前記案内筒の内側筒壁から筒本体に摺動自在に内嵌しており、
前記環状体の摺動片(23)は、前記案内筒の通孔(18)に摺動自在に挿通されると共に、環状体が上昇位置(QU)に上昇したとき前記通孔に係止する係止突起(23a)を設けて成ることを特徴とする請求項１に記載の飲料容器における開閉栓装置。
【請求項３】
前記被動片(24)は、環状体の周方向に間隔をあけて設けられ、被動片の間に通路(26)を構成すると共に、各被動片の下端に山形状の第１斜面(25a)と第２斜面(25b)を形成しており、
前記ロータリ部材(13)は、フィン(28)を前記通路(26)に嵌入することにより回動不能な状態で上下動自在に環状体(10)に内嵌され、前記開弁位置(P2)まで下動されたときフィン(28)を前記通路(26)の下端から脱出することにより回動可能とされるように構成され、
前記ロータリ部材のフィン(28)は、前記ガイド手段(21a)に沿って移動することにより、被動片の第１斜面(25a)から第２斜面(25b)に移動し、該第２斜面を押上げることにより、環状体(10)を前記上昇位置(QU)まで押上げるように構成されており
前記環状体を上昇位置(QU)から下降位置(QL)に押下げたとき、前記フィン(28)を前記通路(26)に向けて移動させるようにロータリ部材を回動する第２回動カム手段(33)を前記フィン(28)と第２斜面(25b)の相互に構成して成ることを特徴とする請求項１又は２に記載の飲料容器における開閉栓装置。
【発明の詳細な説明】
【技術分野】
【０００１】
本発明は、ボトル等の飲料容器の口部に装着する栓装置であり、弁体の閉弁と開弁を簡単容易に行うことができる開閉栓装置に関する。
【背景技術】
【０００２】
従来、操作ボタンを押下げることにより、弁体を開弁すると共に、環状体を上向きの突出状態となるように上昇させ、外部から環状体を視認することにより開弁状態を知ることができるようにした開閉栓装置が公知である。
【先行技術文献】
【特許文献】
【０００３】
【特許文献１】特許第３５３１４１３号公報
【発明の概要】
【発明が解決しようとする課題】
【０００４】
ユーザの指先等で操作ボタンを押下げることにより、弁棒を下動して弁体を開弁させ、同時に環状体を上向きに突出させる機構を備えた開閉栓装置を提供するためには、弁棒を下動させた状態でロックしなければならないので、係止と係止解除を行わせる回動部材が必要となる。しかしながら、操作ボタン自体を押下げ時に回動させることは操作容易性の観点から好ましくないため、操作ボタンと弁棒の間にロータリ部材を配置するのが良い。
【０００５】
そこで、操作ボタンとロータリ部材の間に回動カム手段を構成することにより、操作ボタンの押下げによりロータリ部材を下動させながら回動した後、弁体を開弁させた状態で、ロータリ部材を所定高さだけ上動させた位置で開弁状態をロックし、この上動に伴って、環状体を押上げる構成を提案することができる。
【０００６】
しかしながら、操作ボタンを回動不能とした状態で閉弁位置から開弁位置まで押下げ、この押下げによりロータリ部材を回動させる構成に関して、回動カム手段が噛合しているときは、ロータリ部材の回動が回動不能な操作ボタンにより妨げられるので、ロータリ部材を良好に回動させることができないという問題がある。
【０００７】
その他、回動カム手段の噛合を介して操作ボタンとロータリ部材を常に連結しているときは、開閉栓装置を装着したボトルが机上で倒れ、或いは、床面に落下する等、操作ボタンに外力が作用したとき、弁体が中途開き状態で開弁され、飲料が漏出するという問題がある。
【課題を解決するための手段】
【０００８】
本発明は、上記課題を解決した飲料容器における開閉栓装置を提供するものであり、その手段として構成したところは、着脱自在な下側ユニットと上側ユニットの相互間に注液路を備え、前記下側ユニットは、復帰スプリングを介して上向きの閉弁方向に付勢された状態で前記注液路を閉鎖する弁体を設け、前記上側ユニットは、前記弁体を開弁方向に押下げることにより前記注液路を開放する弁駆動機構を内装して成る開閉栓装置において、前記弁駆動機構は、固定された案内筒と、前記案内筒に対して回動不能な状態で下降位置と上昇位置の間の規制された範囲で上下動自在に内嵌された環状体と、前記環状体に回動不能な状態で内嵌された操作ボタンと、前記操作ボタンの下側に配置されると共に下動されたとき前記弁体を開弁するロータリ部材を備え、前記ロータリ部材は、前記操作ボタンの押下げにより、基準位置から開弁位置を経て回動可能位置まで下動し、回動可能位置で所定角度回動されるように該ロータリ部材のフィンと操作ボタンの歯の相互に第１回動カム手段を構成し、前記案内筒は、前記回動可能位置で回動されたロータリ部材が弁体の復帰スプリングにより上動するとき、フィンを更に該回動方向に向けて上向き傾斜方向に移動させるガイド手段と、該移動によりロータリ部材が前記開弁位置まで上動した位置で前記フィンを上動不能に係止する係止手段を備え、前記環状体は、前記回動可能位置で回動されたロータリ部材のフィンを下方から当接させる被動片を備え、前記フィンがガイド手段に沿って係止手段まで移動することにより、該フィンにより前記上昇位置まで押上げられるように構成されており、前記操作ボタンとロータリ部材の間に介装された制御スプリングを設けており、該制御スプリングの圧縮を介して操作ボタンの押下げによりロータリ部材を下動させるように構成すると共に、前記回動可能位置で回動させられたロータリ部材のフィンが前記ガイド手段に臨ませられた状態で、操作ボタンの押下げ力を解除したとき、該操作ボタンを制御スプリングにより押上げることにより第１回動カム手段のフィンと歯を相互に離反させるように構成して成る点にある。
【０００９】
本発明の好ましい実施形態において、前記案内筒は、筒本体の上部の内側筒壁の外周側に環状空間を形成するフランジを介して外側筒壁を備え、前記フランジの周方向に間隔をあけて通孔を形成しており、前記環状体は、前記環状空間を被うリング部を備え、該リング部の外周部位に摺動片を垂設すると共に、内周部位に前記被動片を垂設し、該被動片を前記案内筒の内側筒壁から筒本体に摺動自在に内嵌しており、前記環状体の案内片は、前記案内筒の通孔に摺動自在に挿通されると共に、環状体が上昇位置に上昇したとき前記通孔に係止する係止突起を設けている。
【００１０】
前記被動片は、環状体の周方向に間隔をあけて設けられ、被動片の間に通路を構成すると共に、各被動片の下端に山形状の第１斜面と第２斜面を形成しており、前記ロータリ部材は、フィンを前記通路に嵌入することにより回動不能な状態で上下動自在に環状体に内嵌され、前記開弁位置まで下動されたときフィンを前記通路の下端から脱出することにより回動可能とされるように構成され、前記ロータリ部材のフィンは、ガイド手段に沿って移動することにより、被動片の第１斜面から第２斜面に移動し、該第２斜面を押上げることにより、環状体を前記上昇位置まで押上げるように構成されており、前記環状体を上昇位置から下降位置に押下げたとき、前記フィンを前記通路に向けて移動させるようにロータリ部材を回動する第２回動カム手段を前記フィンと第２斜面の相互に構成している。
【発明の効果】
【００１１】
本発明によれば、操作ボタン１１を押下げることにより、弁体７を開弁すると共に、環状体１０を上向きの突出状態となるように上昇させ、外部から環状体１０を視認することにより開弁状態を知ることができるようにした開閉栓装置において、操作ボタン１１とロータリ部材１３の間に制御スプリング１２を介装し、該制御スプリング１２の圧縮を介して操作ボタン１１の押下げによりロータリ部材１３を下動させるように構成し、回動可能位置Ｐ３で回動させられたロータリ部材１３のフィン２８が案内筒９のガイド手段２１ａに臨んだとき、操作ボタン１１の押下げ力を解除することにより、操作ボタン１１を制御スプリング１２で押上げ、第１回動カム手段３２を構成するフィン２８と歯３０を相互に離反させるので、これによりロータリ部材１３が回動自在な状態とされ、前記フィン２８をガイド手段２１ａに沿って係止手段２１ｂまで好適に移動させることが可能となる。
【００１２】
しかも、制御スプリング１２を設けているため、開閉栓装置を装着したボトルが机上で倒れ、或いは、床面に落下する等、操作ボタン１１に外力が作用したとき、操作ボタン１１が制御スプリング１２に抗して若干移動しても、これにより弁体７が開弁されて飲料を漏出するようなおそれはない。
【図面の簡単な説明】
【００１３】
【図１】本発明の１実施形態に係る開閉栓装置を示しており、（Ａ）は閉弁状態を示す断面図、（Ｂ）は開弁状態を示す断面図である。
【図２】下側ユニットと上側ユニットを分離した状態を示す断面図である。
【図３】上側ユニットを示しており、（Ａ）は上側ユニットの分解図、（Ｂ）は環状体を示す断面図、（Ｃ）は案内筒を一部断面にて示す斜視図である。
【図４】上側ユニットの弁駆動機構に関して、（Ａ）は案内筒に対して環状体が下降位置とされた状態を示す正面図、（Ｂ）は案内筒に対して環状体が上昇位置とされた状態を示す正面図、（Ｃ）は弁駆動機構の断面図である。
【図５】弁駆動機構により弁体を開弁するときの作用に関して、図４（Ｃ）のａ矢視方向を（ａ）に示し、図４（Ｃ）のｂ矢視方向を（ｂ）に示しており、（Ａ）は閉弁状態を示し、（Ｂ）は操作ボタンによりロータリ部材を下動した状態を示し、（Ｃ）（Ｄ）は第１回動カム手段の作用を示している。
【図６】弁駆動機構により弁体を開弁するときの作用に関して、図４（Ｃ）のａ矢視方向を（ａ）に示し、図４（Ｃ）のｂ矢視方向を（ｂ）に示しており、（Ａ）は第１回動カム手段により回動されたロータリ部材のフィンと環状体の被動片及び案内筒のガイド手段との関係を示し、（Ｂ）は操作ボタンを上動させたときのロータリ部材のフィンと環状体の被動片及び案内筒のガイド手段との関係を示し、（Ｃ）はロータリ部材が環状部材の被動片を押し上げると共に係止手段により停止させられている状態を示している。
【図７】弁駆動機構により弁体を閉弁するときの作用に関して、図４（Ｃ）のａ矢視方向を（ａ）に示し、図４（Ｃ）のｂ矢視方向を（ｂ）に示しており、（Ａ）は環状体を押下げて第２回動カム手段によりロータリ部材を回動させた状態を示し、（Ｂ）はフィンが環状体の通路に臨まされた状態を示し、（Ｃ）は環状体が下降位置まで押下げられロータリ部材が基準位置まで上動された状態を示している。
【発明を実施するための形態】
【００１４】
以下図面に基づいて本発明の好ましい実施形態を詳述する。
【００１５】
図１及び図２に示すように、開閉栓装置は、着脱自在な下側ユニット１と上側ユニット２から成り、下側ユニット１の大カップ３に上側ユニット２の小カップ４を装入することにより、両カップ３、４の間に注液路５を形成している。開閉栓装置は、飲料ボトルの口部に着脱自在に螺着することにより使用され、図示の場合は、下側ユニット１をボトルの口部に装着された肩部材Ｘに螺着することにより使用される。そして、不使用時には、肩部材Ｘから取外した後、図２に示すように、下側ユニット１と上側ユニット２を分離することにより、前記注液路５に付着した水垢等を簡単容易に洗浄できるように構成されている。
【００１６】
下側ユニット１は、復帰スプリング６を介して上向きの閉弁方向に付勢された状態で前記注液路５の下端開口を閉鎖する弁体７を設け、該弁体７の弁棒７ａを上側ユニット２に向けて突出している。
【００１７】
これに対し、上側ユニット２は、前記復帰スプリング６に抗して弁棒７ａを押下げることにより、弁体７を開弁させ、前記注液路５を開放するための弁駆動機構８を内装している。
【００１８】
弁駆動機構８は、小カップ４に装入固定された案内筒９と、該案内筒９に内嵌された環状体１０と、該環状体１０の中央開口部に内嵌された操作ボタン１１と、該操作ボタン１１の下側に圧縮コイルスプリングから成る制御スプリング１２を介して配置されたロータリ部材１３を備えている。ロータリ部材１３は、操作ボタン１１の押下げにより下動されたとき前記弁体７を開弁する。
【００１９】
図１（Ａ）は、弁体７により注液通路５を閉鎖された閉弁状態を示しており、このとき、操作ボタン１１は、案内筒９の開口近傍部に設けられたストッパ１４により上動を阻止された標準位置ＰＵに位置し、環状体１０は、上面が操作ボタン１１と面一にされた下降位置ＱＬに位置している。
【００２０】
図１（Ｂ）は、後述するように、ユーザが指先で操作ボタン１１を押下げ、前記ロータリ部材１３を下動することにより、弁体７が開弁され、注液通路５が開放された状態を示しており、このとき、操作ボタン１１は、押下げから元の位置に復帰することにより標準位置ＰＵに位置するが、環状体１０は、前記下降位置ＱＬから上向きに突出した上昇位置ＱＵに位置している。
【００２１】
（小カップ）
図３に示すように、小カップ４は、大カップ３に螺着される雌ネジを有する筒状の袴部４ａに前記弁棒７ａの上端を臨ませると共に、該弁棒７ａに対向する開口部４ｂを形成しており、該小カップ４に前記案内筒９を内嵌状態で固定する。
【００２２】
（案内筒）
図３及び図４に示すように、前記案内筒９は、筒本体１５の上端部を構成する内側筒壁１５ａの外周側に環状空間を形成するフランジ１６を介して外側筒壁１７を形成し、前記フランジ１６の周方向に間隔をあけて通孔１８を貫設している。図例の場合、通孔１８は、フランジ１６から内側筒壁１５ａの下側に延設されている。そして、筒本体１５の内周面には、周方向に間隔をあけて上下方向に延びる案内路１９が設けられ、該案内路１９の両側には、相対的に筒本体１２の内周面に隆起する隆起部２０が形成されている。隆起部２０は、後述するロータリ部材１３の回動方向に関して、前記案内路１９から次第に上向きに傾斜するガイド手段２１ａと、該ガイド手段２１ａの傾斜終端に位置して下向きに突出する係止手段２１ｂを形成している。
【００２３】
（環状体）
前記案内筒９に嵌入される環状体１０は、前記筒壁１５ａ、１７の間の環状空間を被うリング部２２を備え、該リング部２２の外周部位に周方向に間隔をあけて摺動片２３を垂設すると共に、内周部位に周方向に間隔をあけて被動片２４を垂設し、該被動片２４を前記案内筒９の内側筒壁１５ａから筒本体１５に摺動自在に内嵌される。
【００２４】
前記摺動片２３は、前記案内筒９の通孔１８に摺動自在に挿通され、環状体１０が上昇位置ＱＵに上昇したとき前記通孔１８に係止する係止突起２３ａを設けており、これにより、図４（Ａ）（Ｂ）に示すように、環状体１０は、案内筒９に対して、下降位置ＱＬと上昇位置ＱＵの間の規制された範囲で上下動自在に嵌合される。
【００２５】
前記被動片２４は、下端に山形状の第１斜面２５ａと第２斜面２５ｂを備え、隣り合う被動片２４の間に通路２６を形成しており、環状体１０を案内筒９に内嵌した状態で、前記通路２６が前記案内筒９の案内路２１に合致させられる。
【００２６】
（ロータリ部材）
図３（Ａ）に示すように、前記ロータリ部材１３は、前記環状体１０に対して上下動自在に内嵌され、小カップ４の開口部４ｂを挿通して弁体７の弁棒７ａに当接させられる脚部２７と、放射方向にフィン２８を突設した頭部２９を備えており、前記フィン２８を前記環状体１０の通路２６に嵌入させた状態で上下動させられる。従って、フィン２８が通路２６に嵌入された状態では、ロータリ部材１３は、上下動自在であるが回動不能とされる。従って、フィン２８が通路２６の下端から脱出したとき、ロータリ部材１３は、回動可能とされる。尚、図示実施形態の場合、フィン２８は、前記通路２６を挿通して案内筒９の案内路２１に嵌入されているが、案内路２１は、発明に必須の要件ではない。
【００２７】
（操作ボタン）
操作ボタン１１は、前記ロータリ部材１３の頭部２９の上方に制御スプリング１２を介して配置されると共に、前記環状体１０の中央開口部に上下動自在に内嵌されており、下縁に周方向に連続する山形状の歯３０を形成すると共に、間隔をあけて位置する歯３０から外向きに突出する突片３１を設けている。この際、操作ボタン１１は、前記突片３１を環状体１０の通路２６に嵌入させた状態で、つまり、回動不能な状態で、上下動自在に構成されている。
【００２８】
（回動カム手段）
後述するように、回動不能とされた操作ボタン１１の周方向に列設された山形状の歯３０と、回動可能状態とされたときのロータリ部材１３のフィン２８は、相互に圧接されたとき、斜面に沿って、フィン２８を横方向、つまり、ロータリ部材１３を１方向（図示の場合、時計針方向）に回動させる第１回動カム手段３２を構成している。
【００２９】
また、回動不能とされた環状体１０の被動片２４の下端に形成された第２斜面２５ｂと、回動可能状態とされたときのロータリ部材１３のフィン２８は、相互に圧接されたとき、斜面に沿って、フィン２８を横方向、つまり、ロータリ部材１３を１方向（図示の場合、時計針方向）に回動させる第２回動カム手段３３を構成している。
【００３０】
（作用及びその他の構成）
図５ないし図７に、弁駆動機構８の作用を示している。図５ないし図７のうち、（ａ）は、図４（Ｃ）のａ矢視方向から見た図を示し、（ｂ）は、図４（Ｃ）のｂ矢視方向から見た図を示している。
【００３１】
図５（Ａ）は、弁体７が閉弁された通常の状態を示しており、このとき、ロータリ部材１３は、フィン２８を環状体１０の通路２６に嵌入した状態で、弁棒７ａにより押上げられ、基準位置Ｐ１に位置している。操作ボタン１１は、突起３１を環状体１０の通路２６に嵌入した状態で、制御スプリング１２により押上げられ、上述したストッパ１４（図１参照）に当接することにより、標準位置ＰＵに保持されている。この状態で、ロータリ部材１３は、制御スプリング１２により押下げられ、フィン２８を操作ボタン１１の歯３０から離間させている。尚、環状体１０は、下降位置ＱＬに保持され、環状体１０と操作ボタン１１の上面を面一に保持している。
【００３２】
従って、開閉栓装置を装着したボトルが机上で倒れ、或いは、床面に落下する等、操作ボタン１１に外力が作用したとき、操作ボタン１１が制御スプリング１２に抗して若干移動しても、これにより弁体７が開弁されて飲料を漏出するようなおそれはない。
【００３３】
図５（Ｂ）に示すように、弁体７を開弁するため、ユーザが指先で操作ボタン１１を押下げると、制御スプリング１２を圧縮しながら押下げられた操作ボタン１１の歯３０がロータリ部材１３のフィン２８に当接し、ロータリ部材１３を前記基準位置Ｐ１から、弁体７を開弁する開弁位置Ｐ２まで下動させる。この間、ロータリ部材１３は、フィン２８を通路２６に嵌入されているので、回動不能な状態で下動させられる。
【００３４】
図５（Ｃ）に示すように、更に、操作ボタン１１を押下げると、該操作ボタン１１の歯３０がロータリ部材１３のフィン２８を押下げ、該フィン２８が環状体１０の通路２６の下端から脱出する位置、つまり、ロータリ部材１３を回動可能位置Ｐ３に下動する。ロータリ部材１３は、前記基準位置Ｐ１及び開弁位置Ｐ２に位置するときは、フィン２８を通路２６に嵌入しているため、回動不能な状態で上下動するが、回動可能位置Ｐ３まで下動したとき、フィン２８を通路２６及び案内路２１の下端から脱出することにより、回動可能な状態とされる。
【００３５】
この際、図５（Ｄ）の（ａ）に示すように、操作ボタン１１の歯３０とロータリ部材１３のフィン２８の相互には、前記歯３０の押下げ力により、フィン２８を所定角度だけ回動させる第１回動カム手段３２が構成されている。図示実施形態の場合、フィン２８の斜面を歯３０の斜面で押下げることにより、フィン２８を斜面に沿って横向きに移動させ、ロータリ部材１３を歯３０の１／２ピッチに相当して時計針方向に回動させるように構成されている。そして、図５（Ｄ）の（ｂ）に示すように、回動させられたロータリ部材１３のフィン２８は、案内筒９のガイド手段２１ａの始端部に臨まされる。
【００３６】
そこで、ユーザが指先等を後退させ、操作ボタン１１に対する押下げ力を解除すると、復帰スプリング６による弁棒７ａの上向き付勢力により、ロータリ部材１３が上動し、図６（Ａ）に示すように、フィン２８を被動片２４の下端に当接し、このとき、フィン２８は、ガイド手段２１ａの始端部に臨まされる。
【００３７】
ところで、この状態で、仮に制御スプリング１２が設けられていないときは、回動不能とされた操作ボタン１１の歯３０に対して、ロータリ部材１３のフィン２８が噛合しているため、ロータリ部材１３も回動不能とされ、従って、弁棒７ａによる押上げ力を受けても、フィン２８がガイド手段２１ａに沿って移動し、係止手段２１ｂに至ることはできない。つまり、制御スプリング１２が存在しない状態では、歯３０とフィン２８がコジレ状態で咬み合い、作動が停止してしまう。
【００３８】
この点に関して、本発明は、制御スプリング１２を設けているので、操作ボタン１１から指先等の押下げ力を解放すると、図６（Ｂ）の（ａ）に示すように、直ちに操作ボタン１１が上動し、歯３０をフィン２８から後退させる。従って、図６（Ｂ）の（ｂ）に示すように、弁棒７ａからの押上力を受けることにより、ロータリ部材１３の回動を伴いながら、フィン２８がガイド手段２１ａに沿って好適に移動させられる。この際、フィン２８は、被動片２４の中心に向けて移動し、被動片２４の第１斜面２５ａを押上げながら移動する。
【００３９】
弁棒７ａにより押上げられるロータリ部材１３は、ガイド手段２１ａに沿って移動するフィン２８が係止手段２１ｂに到達したときに停止させられる。つまり、弁体７を開弁させた開弁位置Ｐ２で停止する。このとき、フィン２８は、被動片２４の第２斜面２５ｂを押上げている。その結果、図６（Ｃ）に示すように、ロータリ部材１３は、開弁位置Ｐ２に位置した状態で停止し、該フィン２８により被動片２４を押上げられた環状体１０は、案内筒９及び操作ボタン１１の上面から高さＨで示すように突出させられた状態で保持される。
【００４０】
この状態で、弁体７は開弁され、注液路５を開放しているので、ユーザは、ボトルを傾けることにより、飲料をコップ等に注ぎ入れることができる。そして、上方から開閉栓装置を見たとき、環状体１０が突出状態であることを視認することにより、下側の弁体４が開弁状態とされていることを容易に知ることができる。
【００４１】
そこで、弁体７を閉弁するためには、図７（Ａ）に示すように、上向きに突出した環状体１０をユーザの指先等で押下げれば良い。これにより、ロータリ部材１３は、被動片２４によりフィン２８を押下げられるので、該フィン２８を係止手段２１ｂから脱出させ、回動可能位置Ｐ３まで下動させられる。
【００４２】
回動不能な環状体１０における被動片２４の第２斜面２５ｂと、回動可能状態とされたロータリ部材１３のフィン２８の相互には、第２回動カム手段３３が構成されている。従って、フィン２８の斜面を被動片２４の第２斜面２５ｂが押下げと、フィン２８が斜面に沿って横向きに移動され、ロータリ部材１３を時計針方向に回動させる。これにより、図７（Ｂ）に示すように、回動させられたロータリ部材１３のフィン２８は、環状体１０の通路２６に進入する。このとき、フィン２８は、案内筒９の係止手段２１ｂから脱出し、案内路１９に進入している。
【００４３】
このため、フィン２８が通路２６に進入すると、ロータリ部材１３は、弁棒７ａの押上げ力により、直ちに、図７（Ｃ）に示すように基準位置Ｐ１まで上動し、これにより、弁体７を閉弁状態とする。
【符号の説明】
【００４４】
１  下側ユニット
２  上側ユニット
３  大カップ
４  小カップ
４ａ  袴部
４ｂ  開口部
５  注液路
６  復帰スプリング
７  弁体
７ａ  弁棒
８  弁駆動機構
９  案内筒
１０  環状体
１１  操作ボタン
１２  制御スプリング
１３  ロータリ部材
１４  ストッパ
１５  筒本体
１５ａ  内側筒壁
１６  フランジ
１７  外側筒壁
１８  通孔
１９  案内路
２０  隆起部
２１ａ  ガイド手段
２１ｂ  係止手段
２２  リング部
２３  摺動片
２３ａ  係止突起
２４  被動片
２５ａ、２５ｂ  山形状斜面
２６  通路
２７  脚部
２８  フィン
２９  頭部
３０  歯
３１  突片
３２  第１回動カム手段
３３  第２回動カム手段
【図１】
2018039524.tif 000003
【図２】
2018039524.tif 000004
【図３】
2018039524.tif 000005
【図４】
2018039524.tif 000006
【図５】
2018039524.tif 000007
【図６】
2018039524.tif 000008
【図７】
2018039524.tif 000009